(57)【要約】      （修正有）【課題】安価に製造することができて、金属アレルギーを有する人でも安心して使用可能なピアスを提供する。【解決手段】ピアス１は、耳朶を表裏から挟む一対の取付部３Ｆ，３Ｒと、一方の取付部３Ｆに取り付けられる装飾部８と、を備える構成とされる。一対の取付部３Ｆ，３Ｒが、磁石４を配置させる構成として、両者の間に相互に引き付け合うように作用する磁力を利用して耳朶に装着可能とされる。各取付部３Ｆ，３Ｒにおいて、耳朶と接触する部位が、合成樹脂製のカバーにより覆われている。【選択図】図１
0003182000.tif 000002
【実用新案登録請求の範囲】
【請求項１】
耳朶を表裏から挟む一対の取付部と、少なくとも一方の該取付部に取り付けられる装飾部と、を備える構成とされて、
一対の前記取付部が、少なくとも一方に磁石を配置させる構成として、両者の間に相互に引き付け合うように作用する磁力を利用して前記耳朶に装着可能な構成とされるピアスであって、
前記各取付部において、前記耳朶と接触する部位が、合成樹脂製のカバーにより覆われていることを特徴とするピアス。
【請求項２】
一対の前記取付部が、共に、磁石を配置させて構成されていることを特徴とする請求項１に記載のピアス。
【請求項３】
前記カバーが、シリコーン樹脂から形成されていることを特徴とする請求項１又は２に記載のピアス。
【考案の詳細な説明】
【技術分野】
【０００１】
本考案は、磁石を用いて耳朶に装着させるピアスに関する。
【背景技術】
【０００２】
従来、磁石を用いて耳朶に装着させるピアスとしては、耳朶を表裏から挟む一対の取付部の両方に、磁石を配置させて、両者の間に相互に引き合うように作用する磁力を利用して、耳朶に装着させる構成のものがあった（例えば、特許文献１参照）。
【先行技術文献】
【特許文献】
【０００３】
【特許文献１】登録実用新案第３０３７４４６号公報
【考案の概要】
【考案が解決しようとする課題】
【０００４】
この従来のピアスでは、磁石は、取付部に内蔵されており、取付部は、金属製若しくは表面に金属蒸着によるメッキ加工を施した合成樹脂製とされている。そのため、この従来のピアスでは、装着時に、金属部分が耳朶と直接接触することとなり、金属アレルギーを持った人が安心して使用できなかった。このような問題点を解決するために、取付部を、金属アレルギーを起こしにくい金属から形成することも考慮できるが、金属アレルギーを起こしにくい金属は高価であるため、値段も高くなってしまう。
【０００５】
本考案は、上述の課題を解決するものであり、安価に製造することができて、金属アレルギーを有する人でも安心して使用可能なピアスを提供することを目的とする。
【課題を解決するための手段】
【０００６】
本考案に係るピアスは、耳朶を表裏から挟む一対の取付部と、少なくとも一方の取付部に取り付けられる装飾部と、を備える構成とされて、
一対の取付部が、少なくとも一方に磁石を配置させる構成として、両者の間に相互に引き付け合うように作用する磁力を利用して耳朶に装着可能な構成とされるピアスであって、
各取付部において、耳朶と接触する部位が、合成樹脂製のカバーにより覆われていることを特徴とする。
【０００７】
本考案のピアスでは、耳朶の表裏に配置される各取付部が、耳朶と接触する部位を合成樹脂製のカバーにより覆われる構成であることから、装着時に、金属面が耳朶と直接接触せず、金属アレルギーの人でも安心して装着することができる。また、本考案のピアスでは、合成樹脂製のカバーを製造して、取付部にかぶせるだけであることから、高価な金属素材を使用しなくともよく、安価に製造することができ、また、このようなカバーを製造して、既存のマグネットピアスにも援用することができる。
【０００８】
したがって、本考案のピアスでは、安価に製造することができて、金属アレルギーを有する人でも安心して使用することができる。
【０００９】
また、本考案のピアスにおいて、一対の取付部を、共に、磁石を配置させる構成とすれば、一方の取付部のみに磁石を配置させる場合と比較して、取付部間に発生する磁力を大きくすることができ、装着時に耳朶から外れてしまうことを極力抑制できて、好ましい。
【００１０】
さらに、上記構成のピアスにおいて、カバーを、シリコーン樹脂から形成すれば、適度な弾力性があることから、装着時の感触も良好であり、また、人体への影響も少なく、好ましい。
【図面の簡単な説明】
【００１１】
【図１】本考案の一実施形態であるピアスにおいて、取付部相互を離隔させた状態の概略斜視図である。
【図２】図１のピアスにおいて、取付部相互を離隔させた状態の側面図である。
【図３】図２のIII−III部位の断面図である。
【図４】本考案の他の実施形態であるピアスにおいて、取付部相互を離隔させた状態の概略斜視図である。
【考案を実施するための形態】
【００１２】
以下、本考案の一実施形態を図面に基づいて説明する。実施形態のピアス１は、図１，２に示すように、耳朶Ｅを表裏から挟む一対の取付部３Ｆ，３Ｒと、装着時に耳朶Ｅの表側に配置される取付部３Ｆに取り付けられる装飾部８と、を備える構成とされている。
【００１３】
一対の取付部３Ｆ，３Ｒは、それぞれ、略円筒状として、内部に磁石４を収納させる構成とされている。具体的には、各取付部３Ｆ，３Ｒは、外形寸法を略同一として、装着時に、指先でつまんで容易に着脱可能で、かつ、大きすぎないように、外形形状を、外径寸法を６ｍｍ程度、長さを４ｍｍ程度に設定された略円柱状とされている。そして、実施形態の場合、各取付部３Ｆ，３Ｒは、一端側を、内部に収納させた磁石４を露出させるように開口させて構成され、磁石４を、この開口３ａ側の端面４ａ間に相互に引き付け合うような磁力を作用させるように、内部に収納させるものである。実施形態の場合、各取付部３Ｆ，３Ｒは、表面に金メッキを施した金属製とされている。また、磁石４は、外形形状を、各取付部３Ｆ，３Ｒ内に収納可能な略円柱状として、各取付部３Ｆ，３Ｒから抜け不能なように取付部３Ｆ，３Ｒ内に固着された状態で、かつ、磁力の作用する端面４ａを、各取付部３Ｆ，３Ｒの開口３ａ周縁の端面と略面一とするように、各取付部３Ｆ，３Ｒ内に収納されている。
【００１４】
そして、実施形態では、各取付部３Ｆ，３Ｒの開口３ａを塞ぐように、合成樹脂製のカバー６が、配置されている。カバー６は、実施形態の場合、適度な可撓性と弾力性とを有するシリコーン樹脂製とされて、開口３ａを全面にわたって閉塞可能な略円板状として構成されている。実施形態の場合、取付部３Ｆ，３Ｒの開口３ａ周縁には、図３に示すように、外方へ向かって僅かに突出するようなフランジ部３ｂが、全周にわたって形成されており、カバー６は、略円板状の本体部６ａの外周縁に、このフランジ部３ｂを嵌合可能な嵌合部６ｂを、全周にわたって配置させて構成されている。そして、カバー６は、嵌合部６ｂに、各取付部３Ｆ，３Ｒのフランジ部３ｂを嵌合させるようにして、各取付部３Ｆ，３Ｒの開口３ａから露出されている磁石４と、取付部３Ｆ，３Ｒの開口３ａ周縁と、を、全面にわたって覆う構成である。すなわち、実施形態のピアス１では、各取付部３Ｆ，３Ｒにおいて、相互に引き付け合うような磁力が作用する側の面を、全面にわたってカバー６により覆う構成であり、換言すれば、カバー６は、各取付部３Ｆ，３Ｒにおいて、耳朶Ｅと接触する部位を覆うように、構成されている。
【００１５】
カバー６を形成する材料としては、ポリプロピレン（ＰＰ）や、適度な弾力性を有するポリオレフィン系等の熱可塑性エラストマーも使用することができる。しかしながら、加工や取付部３Ｆ，３Ｒへの取り付けが容易であり、かつ、人体への影響も少ないことを考慮して、カバー６の形成材料として、シリコーン樹脂を使用することが好ましい。シリコーン樹脂を使用すれば、カバー６が、適度な弾力性を有することから、耳朶Ｅへの装着時に、各取付部３Ｆ，３Ｒと耳朶Ｅとの間で僅かに圧縮されるような態様となって、耳朶Ｅにフィットしやすく、快適に使用することができる。また、実施形態では、カバー６は、目立たないように半透明とされている。
【００１６】
装飾部８は、実施形態の場合、大小二つの円板状の部材から構成されており、それぞれ、取付部３Ｆに配置される連結環（図符号省略）を用いて、取付部３Ｆに連結されている。なお、装飾部８の形成材料としては、貴金属や貴金属メッキを施された金属、天然石や人造宝石等の石、ガラス、合成樹脂等、あらゆる材料を使用することができる。勿論、装飾部８の外形形状も、あらゆる形状のものを使用することができる。
【００１７】
実施形態のピアス１は、各取付部３Ｆ，３Ｒを、それぞれ、把持した状態で、耳朶Ｅの表裏から相互に接近させれば、磁石４，４間に作用する磁力により、各取付部３Ｆ，３Ｒによって耳朶Ｅを挟むようにして、装着させることができる。また、取り外し時には、各取付部３Ｆ，３Ｒを把持しつつ相互に離隔させれば、容易に耳朶Ｅから取り外すことができる。
【００１８】
そして、実施形態のピアス１では、耳朶Ｅの表裏に配置される各取付部３Ｆ，３Ｒが、耳朶Ｅと接触する部位を合成樹脂製のカバー６により覆われる構成であることから、装着時に、金属面が耳朶Ｅと直接接触せず、金属アレルギーの人でも安心して装着することができる。また、実施形態のピアス１では、合成樹脂製のカバー６を製造して、各取付部３Ｆ，３Ｒにかぶせるだけであることから、高価な金属素材を使用しなくともよく、安価に製造することができ、また、このようなカバーを製造して、既存のマグネットピアスにも援用することができる。
【００１９】
したがって、実施形態のピアス１では、安価に製造することができて、金属アレルギーを有する人でも安心して使用することができる。
【００２０】
また、実施形態のピアス１では、一対の取付部３Ｆ，３Ｒの両方に、磁石４を配置させていることから、一方の取付部のみに磁石を配置させる場合と比較して、取付部３Ｆ，３Ｒ間に発生する磁力を大きくすることができ、装着時に耳朶Ｅから外れてしまうことを極力抑制できる。勿論、このような点を考慮しなければ、一方の取付部のみに、磁石を配置させる構成としてもよい。
【００２１】
なお、実施形態のピアス１では、各取付部３Ｆ，３Ｒを、一端側を開口させた略円筒状として、内部に磁石４を収納させ、この磁石４を、取付部３Ｆ，３Ｒの開口３ａ側の端面４ａ，４ａ間に相互に引き付け合うような磁力を作用させるように、配置させて、開口３ａを覆うようにカバー６を配置させている。すなわち、実施形態のピアス１では、磁石４において磁力の作用する面（端面４ａ）が、取付部を構成する部材（実施形態の場合、金属部材）により覆われておらず、カバー６のみにより覆われている構成であることから、取付部３Ｆ，３Ｒ間に発生する磁力が弱まることを極力防止できて、装着時に耳朶Ｅから外れてしまうことを、一層抑制できる。勿論、取付部の構成はこれに限られるものではなく、取付部によって、磁石の外周側を全域にわたって覆うように、構成してもよい。
【００２２】
さらに、実施形態のピアス１では、カバー６を、シリコーン樹脂から形成していることから、適度な弾力性があって、装着時の感触も良好であり、また、人体への影響も少ない。なお、実施形態のピアス１では、取付部３Ｆ，３Ｒの開口３ａ周縁にフランジ３ｂを設け、カバー６の外周縁側に形成される嵌合部６ｂに、このフランジ部３ｂを嵌合させるようにして、カバー６を、取付部３Ｆ，３Ｒの開口３ａ周縁に取り付けている構成であることから、例えば、カバー６のみが破損した場合にも、カバー６を容易に交換することができ、メンテナンスも容易である。
【００２３】
なお、実施形態のピアス１では、装飾部８を、装着時に耳朶Ｅの表側に配置される取付部３Ｆのみに取り付けているが、装飾部の構成はこれに限られるものではなく、図４に示すピアス１Ａのように、装飾部８Ａとして、耳朶への取り付け時にリング状となるような円環素材の一部を分断させ、両端側を、取付部３Ｆ，３Ｂに固着させた構成のものを使用してもよい。ピアス１Ａをこのような構成とする場合、取付部３Ｒを耳朶Ｅの表側に配置させるように、反転させるような状態で、ピアス１Ａを使用することもできる。また、各取付部３Ｆ，３Ｒにおいて、カバー７から離れた側の端面に、例えば、チャームを固着させたり、模様を賦形したりして、これらの２つの端面の意匠を異ならせる構成とすることもでき、このような構成とすれば、装着時に、耳朶Ｅの表側に配置させる取付部３Ｆ，３Ｒによって、異なった２つのデザインを楽しむことができる。
【符号の説明】
【００２４】
１，１Ａ…ピアス、３Ｆ，３Ｒ…取付部、４…磁石、６…カバー、８，８Ａ…装飾部、Ｅ…耳朶。
【図１】
0003182000.tif 000003
【図２】
0003182000.tif 000004
【図３】
0003182000.tif 000005
【図４】
0003182000.tif 000006